(57)【要約】【課題】      ブロック塀の一部に開口部を形成し、この開口部にフェンスを設ける塀構造において、ブロック塀とフェンスとの間の隙間を無くし外観上の一体感を得ることができ、しかも施工が簡単な塀構造を提供する。【解決手段】  ブロック塀１０の中央の上部には開口部１２が形成されている。開口端部１３にはブロック端部カバー２０が固定されている。ブロック端部カバー２０の内側にはフェンス３０が固定されている。ブロック塀１０及びフェンス３０の上部には笠木４０が連続して設けられている。ブロック端部カバー２０は、開口端部１３に固定されるベース部材２１と、ベース部材２１に固定されるとともにフェンス３０の両側端部及び下端部を固定する嵌合部材２２とを有している。ベース部材２１の取付片２１ｂと嵌合部材２２の取付片２２ａとを螺着している。嵌合部材２２の嵌合溝２２ｃにフェンスの両側端部及び下端部を嵌合している。【選択図】        図３
2007056451.tif 000002
【特許請求の範囲】
【請求項１】
ブロック塀と、該ブロック塀に形成した開口部に設けたフェンスと、該フェンスの両側面とブロック塀の開口端部との間及びフェンスの下面とブロック塀の開口端部又は基礎との間に設けたブロック端部カバーとを有し、該ブロック端部カバーをブロック塀又はブロック塀と基礎とに固定するとともに、該ブロック端部カバーにフェンスの両側端部及び下端部を摺動自在に嵌合させたことを特徴とする塀構造。
【請求項２】
前記ブロック端部カバーの幅をブロック塀の厚みと略同一長さに形成したことを特徴とする請求項１記載の塀構造。
【請求項３】
前記ブロック端部カバーを、ブロック塀又はブロック塀と基礎とに固定したベース部材と、該ベース部材に固定されるとともにフェンスの両側端部又は下端部を嵌合する嵌合部材とで形成したことを特徴とする請求項１又は２記載の塀構造。
【請求項４】
前記ベース部材を一体となったコ字状に形成するとともに、前記嵌合部材を一体となったコ字状に形成したことを特徴とする請求項３記載の塀構造。
【請求項５】
前記ベース部材を、フェンスの側面に対応する側面用ベース部材と、フェンスの下面に対応する下面用ベース部材とで形成するとともに、前記嵌合部材を一体となったコ字状に形成したことを特徴とする請求項３記載の塀構造。
【請求項６】
前記ベース部材を、フェンスの側面に対応する複数の側面用ベース部材と、フェンスの下面に対応する複数の下面用ベース部材とで形成するとともに、前記嵌合部材を一体となったコ字状に形成したことを特徴とする請求項３記載の塀構造。
【請求項７】
前記ブロック塀の上部とフェンスの上部とに連続して笠木を設けたことを特徴とする請求項１、２、３、４、５又は６記載の塀構造。
【発明の詳細な説明】
【技術分野】
【０００１】
本発明は、ブロック塀の開口部にフェンスを設けた塀構造に関し、さらに詳しくは、ブロック端部カバーを介してブロック塀にフェンスを取付けた塀構造に関するものである。
【背景技術】
【０００２】
従来、ブロック塀の一部に開口部を形成し、この開口部にフェンスを設ける塀構造が知られている。例えば、コンクリートブロックから成るブロック塀の上部を一部開口し、この開口部にフェンスを設けたもので、フェンスを支脚及び支承ボルトでコンクリートブロックに固定したブロックフェンスが提案されている（例えば、特許文献１参照）。
【０００３】
【特許文献１】実開昭５０−６４１３９号公報
【発明の開示】
【発明が解決しようとする課題】
【０００４】
しかしながら、上述した特許文献１で提案されたブロックフェンスにおいては、ブロック塀とフェンスとに一体感が無く、外観上美しいとは言えないものであった。すなわち、コンクリートブロックと枠体との間に隙間が存在し、さらに、この隙間に支承ボルト及び支脚が露出しているので、コンクリートブロックとフェンスとが分離した印象を受け、外観上の一体感を得られないものであった。
【０００５】
また、上述したようなブロックフェンスにおいて、フェンスの枠体をコンクリートブロックの開口端部に当接した状態で直接固定することにより、コンクリートブロックとフェンスとの隙間を無くすことも考えられるが、フェンスをコンクリートブロックの開口端部に固定するのが面倒であった。また、ブロック塀の開口部の寸法が正確になるようにコンクリートブロックを積み上げなければ、フェンスとの間に隙間が生じるので、コンクリートブロックの積み上げ作業を慎重に行なわなければならず、その結果、現場での作業が面倒であった。
【０００６】
本発明は以上の問題点を解決し、ブロック塀とフェンスとの間の隙間を無くし外観上の一体感を得ることができ、しかも施工が簡単な塀構造を提供することを目的とする。
【課題を解決するための手段】
【０００７】
本発明者らは、上述した課題を達成するために鋭意検討し、ブロック塀とフェンスとの間にブロック端部カバーを設け、このブロック端部カバーを介してフェンスをブロック塀に取付けると、簡単な施工で、ブロック塀とフェンスとの間の隙間を無くすことができることを見出し、本発明を完成させたものである。
【０００８】
すなわち、請求項１に係る発明は、ブロック塀と、該ブロック塀に形成した開口部に設けたフェンスと、該フェンスの両側面とブロック塀の開口端部との間及びフェンスの下面とブロック塀の開口端部又は基礎との間に設けたブロック端部カバーとを有し、該ブロック端部カバーをブロック塀又はブロック塀と基礎とに固定するとともに、該ブロック端部カバーにフェンスの両側端部及び下端部を摺動自在に嵌合させたことを特徴とする塀構造である。
【０００９】
請求項２に係る発明は、請求項１に係る発明において、ブロック端部カバーの幅をブロック塀の厚みと略同一長さに形成したことを特徴とする塀構造である。
【００１０】
請求項３に係る発明は、請求項１又は２に係る発明において、ブロック端部カバーを、ブロック塀又はブロック塀と基礎とに固定したベース部材と、該ベース部材に固定されるとともにフェンスの両側端部又は下端部を嵌合する嵌合部材とで形成したことを特徴とする塀構造である。
【００１１】
請求項４に係る発明は、請求項３に係る発明において、前記ベース部材を、一体となったコ字状に形成するとともに、前記嵌合部材も一体となったコ字状に形成したことを特徴とする塀構造である。請求項５に係る発明は、請求項３に係る発明において、ベース部材を、フェンスの側面に対応する側面用ベース部材と、フェンスの下面に対応する下面用ベース部材とで形成するとともに、前記嵌合部材を一体となったコ字状に形成したことを特徴とする塀構造である。請求項６に係る発明は、請求項３に係る発明において、ベース部材を、フェンスの側面に対応する複数の側面用ベース部材と、フェンスの下面に対応する複数の下面用ベース部材とで形成するとともに、前記嵌合部材を一体となったコ字状に形成したことを特徴とする塀構造である。
【００１２】
請求項７に係る発明は、請求項１、２、３、４、５又は６に係る発明において、ブロック塀の上部とフェンスの上部とに連続して笠木を設けたことを特徴とする塀構造である。
【発明の効果】
【００１３】
請求項１に係る発明においては、フェンスの両側面とブロック塀の開口端部との間及びフェンスの下面とブロック塀の開口端部又は基礎との間にブロック端部カバーを設けたので、ブロック端部カバーがブロック塀とフェンスとの間を隙間無く連続して連結し、塀構造全体として一体感を得ることができる。また、ブロック端部カバーにフェンスの両側端部及び下端部を摺動自在に嵌合させることにより取付けるので、フェンスの取り付け作業が極めて簡単なものであり、さらに、ブロック塀の開口部の寸法に誤差が生じたとしても、ブロック端部カバーへのフェンスの嵌合する深さを調整することにより、フェンスをブロック端部カバーへ確実に取付けることができる。したがって、ブロック塀を構築する際、コンクリートブロックの積み上げ精度を高く無い場合であっても、フェンスを簡単かつ確実に取付けることができる。
【００１４】
請求項２に係る発明においては、ブロック端部カバーの幅をブロック塀の厚みと略同一長さに形成したので、ブロック塀の開口部を形成するブロックに、端面に鉄筋を通す凹部を設けたブロック（以下、「基本ブロック」という。）を使用することができる。すなわち、従来ブロック塀の開口部を形成するブロックとしては、その端面が露出することになるので、端面を平坦にした端部ブロックを使用していたが、本発明においては開口部を形成するブロックの端面はブロック端部カバーで遮蔽されることとなるので、基本ブロックを使用することができる。その結果、基本ブロックのみを用意すればよいので、作業が簡単であり、また安価にすることができる。
【００１５】
請求項３に係る発明においては、ブロック端部カバーを、ブロック塀又はブロック塀と基礎とに固定したベース部材と、該ベース部材に固定されるとともにフェンスの両側端部及び下端部を嵌合する嵌合部材とで形成したので、嵌合部材のベース部材への取付を調整することにより、フェンスの寸法に適合させることができる。したがって、ブロック塀の積み上げ精度が高くない場合であっても、フェンスを確実に取付けることができる。
【００１６】
請求項４に係る発明においては、前記ベース部材を一体となったコ字状に形成するとともに、前記嵌合部材も一体となったコ字状に形成したので、ベース部材と嵌合部材とが略全長に亘って固定され、ブロック端部カバーの剛性を大きくすることができる。なお、ベース部材と嵌合部材は、曲げ加工またはコーナー部を溶接若しくは螺子結合することにより、一体となったコ字状に形成することができる。
【００１７】
請求項５に係る発明においては、ベース部材を、フェンスの側面に対応する側面用ベース部材と、フェンスの下面に対応する下面用ベース部材とで形成したので、ブロック塀の開口部の寸法が正確で無い場合であっても、側面用ベース部材と下面用ベース部材とをそれぞれ独立して固定するので、開口端部に常に当接した状態で固定することができる。また、ベース部材と嵌合部材とが略全長に亘って固定され、ブロック端部カバーの剛性を大きくすることができる。
【００１８】
請求項６に係る発明においては、ベース部材を、フェンスの側面に対応する複数の側面用ベース部材と、フェンスの下面に対応する複数の下面用ベース部材とで形成したので、ブロック塀の開口部の寸法が正確で無い場合であっても、側面用ベース部材と下面用ベース部材とをそれぞれ独立して固定するので、開口端部に常に当接した状態で固定することができる。
【００１９】
請求項７に係る発明においては、笠木をブロック塀の上部とフェンスの上部とに連続して設けることにより、より一体感を得ることができるとともに、笠木を介してフェンスとブロック塀とが一体化されるので、フェンスの支持強度を向上させることができる。
【発明を実施するための最良の形態】
【００２０】
本発明の塀構造はブロック塀が設けられている。このブロック塀は複数のブロックを積み上げて形成したもので、ブロックとしては従来用いられている各種ブロックを用いることができる。また、ブロック塀にはフェンスを設けるための開口部が形成されている。この開口部は、ブロック塀の上部を一部開口して形成（フェンスの両側面及び下面がブロック塀の開口端部に対向する態様）しても、ブロック塀の上端から下端にかけて全面的に開口して形成（フェンスの両側面がブロック塀の開口端部に対向するとともに、フェンスの下面が基礎に対向する態様）してもよい。
【００２１】
ブロック塀の開口部にはフェンスが設けられている。このフェンスは、その材質及び形状は特に限定されず、例えば、フェンスの上端がブロック塀の上端と水平方向に略一致する形状、上に円弧状の凸形状、下に円弧状の凹形状等の各種態様を採ることができる。
【００２２】
フェンスの両側面とブロック塀の開口端部との間及びフェンスの下面とブロック塀の開口端部又は基礎との間にブロック端部カバーを設けている。すなわち、フェンスの両側面及び下面と開口端部との間に設ける態様、フェンスの両側面と開口端部との間及びフェンスの下面と基礎との間に設ける態様がある。そして、ブロック端部カバーをブロック塀又はブロック塀と基礎とに固定するとともに、ブロック端部カバーにフェンスの両側端部及び下端部を摺動自在に嵌合している。ブロック端部カバーへのフェンスの摺動自在の嵌合は、例えば、嵌合溝を形成し、この嵌合溝にフェンスの端部を嵌合させるようにした場合、両側及び下側に位置する嵌合溝の開口端間の長さを、フェンスの両側端間及び下側の長さより短くするとともに、両側及び下側に位置する嵌合溝の底面間の長さを、フェンスの両側端間及び下側の長さより長くすることにより、フェンスの両側端部をブロック端部カバーに嵌合した状態で摺動させることができる。すなわち、嵌合溝の底面間の長さとフェンスの両側端間の長さとの差分、フェンスを摺動させることができるので、この範囲において誤差を吸収することができる。
【００２３】
ブロック端部カバーは、その幅をブロック塀の厚みと略同一長さに形成することが好ましく、また、ブロック端部カバーをブロック塀の開口端部に密接させることが好ましい。このような構成にすることにより、外部からブロック塀の開口端部を視認し辛くなるので、端面に鉄筋を通す凹部が設けられている基本ブロックを使用しても美観を損なうことがない。
【００２４】
ブロック端部カバーは、ブロック塀又はブロック塀と基礎とに固定したベース部材と、該ベース部材に固定されるとともにフェンス両側端部又は下端部を嵌合する嵌合凹部が形成された嵌合部材とで形成することができる。ベース部材のブロック塀への固定はネジあるいはモルタルにより行なうことができ、ベース部材とブロック塀との間隔を調整できるようにすることが好ましく、また、嵌合部材のベース部材への固定もネジ等により行なうことができ、嵌合部材とベース部材との間隔を調整できるようにすることが好ましい。
【００２５】
ベース部材は、ブロック塀に固定出来る形態であれば特に限定されず、例えば、一体となったコ字状に形成したり、フェンスの側面に対応する側面用ベース部材と、フェンスの下面に対応する下面用ベース部材とで形成したり、フェンスの側面に対応する複数の側面用ベース部材と、フェンスの下面に対応する複数の下面用ベース部材とで形成したりすることができる。また、嵌合部材も、上述したベース部材と同様の形態にすることができる。
【００２６】
ブロック塀の上部とフェンスの上部とに連続して笠木が設けられている。笠木は、金属製材料で形成したもの、例えば、アルミニウム形材等の金属製形材や、折り曲げ加工、ロールフォーミング加工等で形成したものでも、多数のブロック状笠木部材を連接して形成したものであってもよい。ブロック状笠木部材としては、結合材としてセメントを用いたコンクリートを成形加工したものが挙げられるが、樹脂等その他の結合材を用いて形成しても構わない。また、フェンスの上枠の形状を笠木と同一の形状に形成し、ブロック塀のみに笠木を設けるようにしてもよい。
【００２７】
笠木をブロック塀及びフェンスに固定するには、笠木を金属製材料で形成した場合はネジ等で直接固定しても、笠木をコンクリートを成形加工したブロック状笠木部材で形成した場合は、モルタルを介して直接固定してもよい。しかし、施工が簡単になるので、ブロック塀及びフェンスに笠木取付金具を設けたり、フェンス上部に金属製ベース部材を設けたり、フェンスに笠木固定部材を設けたり、笠木にカバー部材を設けたりしてもよい。また、これら笠木取付金具、金属製ベース部材、笠木固定部材及びカバー部材は、複数個に分けて所定間隔で設けても、ブロック塀あるいはフェンスの全長に亘って設けてもよい。
【００２８】
本発明の塀構造の第一実施形態（請求項１、２、３、４及び７に相当）を図面を参照して説明する。図１は塀構造の全体正面図、図２は塀構造の斜視図、図３は塀構造の分解斜視図、図４は図１中Ｃ部分におけるＢ−Ｂ線断面図、図５は図１中Ｄ部分におけるＡ−Ａ線断面図である。
【００２９】
図１及び図２において、１０はブロック塀で、このブロック塀１０は複数のブロック１１を積み上げることにより形成されており、その中央の上部には開口部１２が形成されている。この開口部１２の開口端部１３にはブロック端部カバー２０が固定され、このブロック端部カバー２０の内側にはフェンス３０が固定されている。また、ブロック塀１０及びフェンス３０の上部には笠木４０が連続して設けられている。
【００３０】
ブロック端部カバー２０は、図３に示すように、開口端部１３に固定されるベース部材２１と、ベース部材２１に固定されるとともにフェンス３０の両側端部及び下端部を固定する嵌合部材２２とを有し、これらベース部材２１と嵌合部材２２とは、アルミニウム形材で略同様なコ字状に形成されている。
【００３１】
ベース部材２１は、図４及び図５に示すように、ブロック塀１０の開口端部１３に当接する平板部２１ａと、平板部２１ａの両端において直角に立ち上がった取付片２１ｂとが形成されていおり、平板部２１ａをブロック塀１０にネジ２３により固定している。嵌合部材２２は、ベース部材２１の取付片２１ｂに当接して固定される取付片２２ａが形成され、この取付片２２ａを取付片２１ｂにネジ２４で螺着することにより、嵌合部材２２をベース部材２１に固定している。また、嵌合部材２２のフェンス３０に対向する面には、フェンス３０の両側端部又は下端部を嵌合する嵌合溝２２ｂが形成されている。そして、嵌合部材２２は、幅がブロック塀１０の幅より若干長くなるように形成されており、その結果、ブロック端部カバー２０が開口端部１３の全面を覆うようになっている。また、嵌合部材２２のフェンス３０の下端部に対応する部位であって、ベース部材２１側の端部には水切り片２２ｃが形成されている。したがって、フェンス３０を伝わって落ちて来た雨水は、水切り片２２ｃよりブロック塀１０に触れること無く直接地面に落下するので、ブロック塀１０に雨水の跡が付くのを防止することができる。
【００３２】
フェンス３０は、アルミニウム形材で形成されており、図３に示すように、両側の縦枠３１、上枠３２、下枠３３と、これらの縦枠３１、上枠３２及び下枠３３で形成された枠体に設けられた複数の格子３４とから構成されている。そして、前記縦枠３１及び下枠３３が、前記嵌合部材２２の嵌合溝２２ｂに嵌合することにより固定されている。なお、本実施形態においては枠体内に格子３４を設けたフェンスについて説明するが、格子の他、パネル体、鋳物体を設けたフェンスであっても構わず、また、枠体構造でなくとも構わない。
【００３３】
笠木４０は、アルミニウム形材で形成されており、図３に示すように、笠木本体４１と、両側に設けられたカバー部材４２とで構成されている。そして、ブロック塀１０への固定は、モルタル、ネジ等により行い、フェンス３０への固定は、ネジ等により行なっている。
【００３４】
以上のような塀構造を施工するには、まずブロック塀１０を形成した後、その開口部１２の開口端部１３にブロック端部カバー２０を固定する。そして、フェンス３０をブロック端部カバー２０の上方から、縦枠３１を嵌合溝２２ｂに嵌合させつつ下方へ押し込み、下枠３３を嵌合溝２２ｂに嵌合させる。これによりフェンス３０をブロック端部カバー２０を介してブロック塀１０に固定することができる。
【００３５】
本発明の塀構造の第二実施形態（請求項５及び７に相当）を図面を参照して説明する。図６は塀構造の分解斜視図である。第二実施形態は、ブロック端部カバーのベース部材を下部と側部とに分割して形成したもので、その他のブロック塀１０、フェンス３０及び笠木４０は、前記第一実施形態と同様に構成されている。
【００３６】
第二実施形態は、図６に示すように、ブロック端部カバー５０は、側面用ベース部材５１、下面用ベース部材５２及び嵌合部材５３で構成されており、すなわち、ベース部材が、ブロック塀１０の開口端部１３の両側面に対応する２つの側面用ベース部材５１と、下面に対応する１つの下面用ベース部材５２との３つに分割して形成されている。また、第一実施形態と同様に、側面用ベース部材５１及び下面用ベース部材５２には、平板部５１ａ、取付片５１ｂ及び平板部５２ａ、取付片５２ｂが形成され、嵌合部材５３には取付片５３ａ及び嵌合溝５３ｂが形成されている。
【００３７】
本発明の塀構造の第三実施形態（請求項６及び７に相当）を図面を参照して説明する。図７は塀構造の分解斜視図である。第三実施形態は、ブロック端部カバーのベース部材を下部と側部とに複数に分割して形成したもので、その他のブロック塀１０、フェンス３０及び笠木４０は、前記第一実施形態と同様に構成されている。
【００３８】
第三実施形態は、図７に示すように、ブロック端部カバー６０は、複数の側面用ベース部材６１、複数の下面用ベース部材６２及び嵌合部材６３で構成されており、すなわち、ベース部材が、ブロック塀１０の開口端部１３の両側面に対応する片側それぞれ２つ（両側合わせると４つ）の側面用ベース部材６１と、下面に対応する３つの下面用ベース部材６２とに分割して形成されている。また、第一実施形態と同様に、側面用ベース部材６１及び下面用ベース部材６２には、平板部６１ａ、取付片６１ｂ及び平板部６２ａ、取付片６２ｂが形成され、嵌合部材６３には取付片６３ａ及び嵌合溝６３ｂが形成されている。
【図面の簡単な説明】
【００３９】
【図１】本発明による塀構造の第一実施形態の全体正面図
【図２】本発明による塀構造の第一実施形態の全体斜視図
【図３】本発明による塀構造の第一実施形態の分解斜視図
【図４】図１中Ｃ部分におけるＢ−Ｂ線断面図
【図５】図１中Ｄ部分におけるＡ−Ａ線断面図
【図６】本発明による塀構造の第二実施形態の分解斜視図
【図７】本発明による塀構造の第三実施形態の分解斜視図
【符号の説明】
【００４０】
１０  ブロック塀
２０  ブロック端部カバー
２１  ベース部材
２２  嵌合部材
３０  フェンス
４０  笠木
５０  ブロック端部カバー
５１  側面用ベース部材
５２  下面用ベース部材
５３  嵌合部材
６０  ブロック端部カバー
６１  側面用ベース部材
６２  下面用ベース部材
６３  嵌合部材
【図１】
2007056451.tif 000003
【図２】
2007056451.tif 000004
【図３】
2007056451.tif 000005
【図４】
2007056451.tif 000006
【図５】
2007056451.tif 000007
【図６】
2007056451.tif 000008
【図７】
2007056451.tif 000009